(57)【特許請求の範囲】
【請求項１】
シリンダ錠、カマ及びカマ制御スライダを備えた室外側の外締り錠部と、この外締り錠部と引き違いとなる室内側の内締り錠部とを有する引戸錠において、摘みと一体に結合されたアームホルダーと、基端をこのアームホルダーの摘み側の一端部に回動可能に枢着され、夫々枢着点を中心とする円弧状の逃げ穴を開口させると共に、拡開する方向に付勢された第１及び第２の１対の作動アームと、アームホルダーの他端部を貫通して、第１及び第２作動アームの逃げ穴と共通に係合するアーム駆動ピンとで構成された駆動ユニットを、内締り錠部の錠箱内において、摘みを錠箱から室内側に突出させた状態で、ストライク板に垂直な前後方向に移動可能に案内すると共に、第１及び第２作動アームの作動端をストライク板に開口した細長いアーム開口から突出かつ傾動可能に臨ませ、一方、駆動ユニットを室内に向かう方向に付勢したことを特徴とする引戸錠のカマ操作機構。
【発明の詳細な説明】
【０００１】
【産業上の利用分野】
本発明は、引戸錠の所謂カマと称される施錠部材を制御する、簡単な構造で新規な引戸錠のカマ操作機構（以下単にカマ操作機構という）に関する。
【０００２】
【従来の技術】
通常、引戸錠の施錠機構は、例えば図１に示すように、シリンダ錠１を装着した外締り錠部２、及びこの外締り錠部と引き違いとなる内締り錠部３の一方（図１においては外締り錠部２）に内蔵されたカマ４を施錠時内締り錠部のストライク板５（図２参照）に開口したカマ投入孔６に振り入れて施錠する。
【０００３】
上記カマ４を出し入れする為、図３に示すように、外締り錠部２内にはカマ制御スライダ７が上下方向に移動可能に設けられており、このカマ制御スライダに植設された駆動ピン８は、カマ軸９の回りを回動可能に軸支されたカマ４の連結孔１１と係合している（図３参照）。
【０００４】
上記した構成により、シリンダ錠の内筒を回動させてカマ制御スライダ７が下降すれば、図１に示すように、カマ４がカマ軸９の回りを時計方向に回動し、カマ４がストライク板のカマ投入孔６に振り入れられて、引戸錠の施錠が行われる。
【０００５】
反対に、カマ制御スライダ７が図１の状態から上昇すれば、カマ４は外締り錠部２の錠箱内に引込むから、引戸錠は解錠される。
【０００６】
【発明が解決しようとする課題】
しかして、引戸錠の施錠操作及び解錠操作は、室内側及び室外側の双方から行われるが、カマ４を装着した方の錠箱においては、その施、解錠操作は極めて容易である。何故ならば、手指で操作される操作部材を単にカマ制御スライダに連結し、これを上下動させればよいからである。
【０００７】
しかしながら、カマ４を装着しない錠箱（図示の実施例では内締り錠部３の錠箱）側からカマ４を操作することは容易ではない。
【０００８】
それは、施、解錠時、例えば内締り錠部３側から外締り錠部２の錠箱内に操作部材を差し入れ、この操作部材によりカマ制御スライダ７を上方或いは下方に押動しなければならないからである。
【０００９】
一方、このカマ制御スライダを制御する操作部材を最初から錠箱外に突出させておくと、引戸閉鎖時この突出した操作部材がカマを有する錠箱側の引戸に激突してしまうから、上記したカマ制御スライダ７の押動前に操作部材をカマ装着側の錠箱内に挿入する、という動作は必須である。
【００１０】
即ち、内締り錠部３側からの施、解錠操作は２段階に別れるわけで、通常手指による施解錠操作は、例えば摘みを上下方向に動かす、等の単純な操作により行われるから、この一方向のみの操作を２段階の動きに変換するには複雑なカマ操作機構を必要とする。
【００１１】
この発明は、簡単な構造で上記２段階のカマ操作を行うことができる、新規なカマ操作機構を提供することを目的としている。
【００１２】
【課題を解決するための手段】
上記の目的を達成するため、請求項１に記載の発明は、シリンダ錠、カマ及びカマ制御スライダを備えた室外側の外締り錠部と、この外締り錠部と引き違いとなる室内側の内締り錠部とを有する引戸錠において、摘みと一体に結合されたアームホルダーと、基端をこのアームホルダーの摘み側の一端部に回動可能に枢着され、夫々枢着点を中心とする円弧状の逃げ穴を開口させると共に、拡開する方向に付勢された第１及び第２の１対の作動アームと、アームホルダーの他端部を貫通して、第１及び第２作動アームの逃げ穴と共通に係合するアーム駆動ピンとで構成された駆動ユニットを、内締り錠部の錠箱内において、摘みを錠箱から室内側に突出させた状態で、ストライク板に垂直な前後方向に移動可能に案内すると共に、第１及び第２作動アームの作動端をストライク板に開口した細長いアーム開口から突出かつ傾動可能に臨ませ、一方、駆動ユニットを室内に向かう方向に付勢したことを特徴とする。
【００１３】
【作用】
上記のように構成された本発明によるカマ操作機構は、施解錠時、図１に示すように、カマ受け錠箱外に突出した摘み１３を手指で摘み、駆動ユニット１２をストライク板５方向に、即ち前方に押動する。
【００１４】
尚、上記施解錠操作前、引戸を完全に閉鎖し、カマ受け錠箱のストライク板に開口したアーム開口２４（図２参照）と、カマを有する錠箱のフロント板に開口し、カマ制御スライダ７の操作端７ａを臨ませた、アーム開口と同様に細長い作動口とを完全に整合させておくべきことは勿論である。
【００１５】
上記摘みの押動操作により、駆動ユニット１２は全体として前方に移動し、その一対の作動アームの作動端１９、１９はストライク板５に開口したアーム開口から突出して、フロント板の作動口からカマを有する錠箱内に挿入される（図示せず）。
【００１６】
このとき、カマ制御スライダ７の操作端７ａは、第１及び第２作動アーム１５、１６の作動端１９、１９の間に位置している。
【００１７】
次いで、施錠操作及び解錠操作に応じて、摘み１３を前方に押動した状態で、同じ摘みを上方又は下方に動かす。
【００１８】
摘みを例えば上方に動かすと引戸錠は施錠され、下方に動かすと施錠された引戸錠が解錠されるようになっているとした場合、施錠の為摘みを上方に動かすと、摘み１３及びこれと一体のアームホルダー１４は、第１及び第２作動アームの枢着軸１７（図４参照）を回動中心として、図１において時計方向に回動する。
【００１９】
その結果、アームホルダー１４の他端部を貫通する態様でこれに担持されたアーム駆動ピン２２が下方に移動し、このアーム駆動ピンと第１作動アームの逃げ穴の開口端縁との係合を介して、第１作動アーム１５はその作動端１９（図１で右端）が下降する方向に回動する。
【００２０】
すると、図１に鎖線で示すように、第１作動アームの作動端１９が操作端７ａを押動してカマ制御スライダ７を下降させる結果、図１に示すようにカマ４が振り出されて引戸錠が施錠される。
【００２１】
尚、摘みを上方に動かした場合には、アーム駆動ピン２２は第２作動アーム１６の逃げ穴２１内を遊動するから、第２作動アーム１６はアーム駆動ピン２２から力を受けず、したがってその角度位置は変らない。
【００２２】
施錠後摘みを操作する手指の力を弛めると、第１作動アームの付勢力により、第１作動アームはアームホルダーと一体的に反時計方向に回動して図４に示す待機角度位置に戻る。
【００２３】
次いで摘みから手指を離すと、駆動ユニット１２を後方に付勢する力により、駆動ユニットは全体として後方に、即ちカマ受け錠箱内に引込む方向に移動し、図１に実線で示す待機位置に復帰する。
【００２４】
ちなみに、摘みを前方に押動してから下方に動かした場合、上記とは反対に第１作動アーム１５は回動せず、第２作動アーム１６が図１で反時計方向に回動し、カマ制御スライダ７の操作端７ａを持上げて引戸錠は解錠される。
【００２５】
【実施例】
以下、本発明の実施例を主に図４及至図７を参照して説明する。
図４及び図５において符号１２は駆動ユニットの全体を示し、この駆動ユニット１２は、摘み１３付きのアームホルダー１４を備えている。
【００２６】
上記アームホルダー１４は、図５に示すように、断面コ字形部（付番せず）と、板材を重合するように折曲げた柄部（付番せず）とを有し、この柄部を摘み１３の取付口に差込んだ後、ピン止めすることにより、摘み１３と一体的に結合されている。
【００２７】
このアームホルダー１４には、次に述べるような態様により、第１作動アーム１５及び第２作動アーム１６が回動可能に枢着されている。
【００２８】
しかして、図示の実施例においては、第１及び第２作動アーム１５、１６は、図６及び図７に示す部材を２個、対称的に配置してアームホルダーに枢着する。
【００２９】
即ち、作動アーム１５（１６）は、図６に示すように、板材を断面コ字形に折曲してなり、その一端である基端（図７で左端）には、図７に示すように、枢着ピン（図４及び図５参照）が回動可能に嵌合するピン孔１８が開口している。
【００３０】
又、作動アームの他端部は細くなっており、その先端は作動アームの作動端１９となっている。
【００３１】
更に又、作動アーム１５（１６）の一端部には、上記ピン孔１８の中心を中心軸とする円弧状の逃げ穴２１が開口している。
【００３２】
一方、前記アームホルダー１４の断面コ字形部の摘み１３側の一端部には、上記ピン孔１８と同径のピン孔（付番せず）が開口しており、又、他端部には、アーム駆動ピン２２（図４及び図５参照）が嵌合する開口（付番せず）が形成されている。
【００３３】
そして、上記第１及び第２作動アーム１５、１６は、図４に示すように、これらの基端部を重合させ、且つ、相互に対称的に配置された状態で、ピン孔１８、１８及びアームホルダー１４を共通に貫通する枢着ピン１７により、アームホルダー１４の摘み１３側の一端部に回動可能に枢着されている。
【００３４】
尚、図示の実施例においては、図６に示すように、作動端１９は板厚分薄くなっているので、対称的に配置した場合、図２に示すように一対の作動端１９、１９が左右方向において位置がずれない。
【００３５】
又、一端を相互に重合させた第１及び第２作動アーム１５、１６の円弧状の逃げ穴２１、２１及びアームホルダー１４の他端部を、１本のアーム駆動ピン２２が共通に貫通し、このようにして駆動ユニット１２が構成されている。
【００３６】
更に又、上記枢着ピン１７には、図４に示すように、捩りコイルばねとしての開脚ばね２３が巻装されており、この開脚ばねの両端は、夫々第１及び第２作動アーム１５、１６の内側で係止されている。尚、図面を明瞭にするため、図５においては開脚ばねの図示を省略している。
【００３７】
その為、第１及び第２作動アーム１５、１６は、全体として開脚するように、換言すればこれらの作動端１９、１９が相互に離間する方向に付勢されているが、夫々の逃げ穴２１、２１の一端がアーム駆動ピン２２に係止され、この駆動ユニット１２に外力が作用しない待機時においては、図４に示す角度位置を保つ。
【００３８】
或いは、これら第１及び第２作動アーム１５、１６の開脚度を図４に示すものよりも若干大きめに設定し、図２に示すように、ストライク板５に開口したアーム開口２４の上、下端縁に作動アームの作動端１９、１９を係合させることにより、待機時における一対の作動アーム１５、１６の開脚度を規定するようにしてもよい。
【００３９】
上記のように構成された駆動ユニット１２は、摘み１３を内締り錠部３の錠箱から室内側に突出させた状態で、図１及び図５に示すように、ストライク板５に垂直な前後方向（図１で左右方向）に移動可能に案内されている。
【００４０】
具体的には、図５に示すように、一面が開口した箱状のガイドケース２５の両側面に形成され、前後方向に延在する一対の案内溝２６、２６と、駆動ユニット１２の枢着ピン１７の両端に形成された小径部とを摺動可能に係合させている。
【００４１】
又、図１に示すように、ガイドケース２５に装着された捩りコイルばねとしての復帰ばね２７の弾力により、駆動ユニット１２は後方に付勢されている。
【００４２】
ちなみに、図１においては、この復帰ばね２７の作動端が第１作動アーム１５を貫通して枢着ピン１７に掛かっているように描かれているが、実際にはこの復帰ばね２７は複雑に折曲げなければ作動端を枢着ピンに掛けることができない。しかしながら、図面を明瞭にする為、図１のように示すことにする。
【００４３】
又、図１において符号２８はカバー体を、符号２９は内側エスカチオンを、符号７ａはカマ制御スライダ７の操作端を夫々示す。
【００４４】
【発明の効果】
以上の説明から明らかなように、この発明は、内締り錠部の錠箱側から外締り錠部のカマ制御スライダを制御するために必要な作動アームの２種類の動きを何れも手指で直接行えるように構成したから、カマ制御機構の構成を非常に簡単にすることができる、という効果を奏する。
【図面の簡単な説明】
【図１】本発明の一実施例によるカマ操作機構を備えた引戸錠の一部断面側面図で、施錠状態を示す。
【図２】そのカマ受け錠箱のストライク板の正面図。
【図３】カマを装着した外締り錠部の一部断面側面図で、解錠状態を示す。
【図４】駆動ユニットの側面図。
【図５】駆動ユニットの断面図。
【図６】作動アームの正面図。
【図７】作動アームの側面図。
【符号の説明】
２  外締り錠部
３  内締り錠部
４  カマ
５  ストライク板
６  カマ投入孔
７  カマ制御スライダ
７ａ  作動端
１２  駆動ユニット
１３  摘み
１４  アームホルダー
１５  第１作動アーム
１６  第２作動アーム
１７  枢着ピン
１９  操作端
２１  逃げ穴
２２  アーム駆動ピン
２３  開脚ばね
２４  アーム開口
２７  復帰ばね
【図１】
0003542045.tif 000002
【図２】
0003542045.tif 000003
【図３】
0003542045.tif 000004
【図４】
0003542045.tif 000005
【図５】
0003542045.tif 000006
【図６】
0003542045.tif 000007
【図７】
0003542045.tif 000008